(57)【要約】【課題】  仕切板をワイヤ状物品載置面に安定して取付ける。【解決手段】互いに平行をなす多数のワイヤ６により形成された物品載置面を仕切る仕切板８の取付構造であって、仕切板８を、ワイヤ６と直交する方向を向く垂直平板状の仕切板本体９と、この仕切板本体９の下端の少なくとも両側端部に、該仕切板本体９と直交する方向を向いて連設された断面コ字状の１対の係止片１０とからなるものとし、両係止片１０を、多数のワイヤ６のうちのいずれか２本に側方より嵌合して係止することにより、仕切板８を物品載置面上に立設する。【選択図】  図３
2006136539.tif 000002
【特許請求の範囲】
【請求項１】
互いに平行をなす多数のワイヤにより形成された物品載置面を仕切る仕切板の取付構造であって、前記仕切板を、前記ワイヤと直交する方向を向く垂直平板状の仕切板本体と、この仕切板本体の下端の少なくとも両側端部に、該仕切板本体と直交する方向を向いて連設された断面コ字状の１対の係止片とからなるものとし、前記両係止片を、前記多数のワイヤのうちのいずれか２本に側方より嵌合して係止することにより、仕切板を物品載置面上に立設したことを特徴とするワイヤ状物品載置面への仕切板の取付構造。
【請求項２】
係止片におけるコ状凹部の開口部の上下寸法を、開口部の奥部の上下寸法及びワイヤの外径よりも若干小としてなる請求項１記載のワイヤ状物品載置面への仕切板の取付構造。
【請求項３】
仕切板を合成樹脂よりなるものとし、かつその係止片の少なくとも下片が下方に弾性変形しうるようにした請求項１または２記載のワイヤ状物品載置面への仕切板の取付構造。
【発明の詳細な説明】
【技術分野】
【０００１】
本発明は、ワイヤにより形成されたワイヤ棚やバスケット等の物品載置面に、仕切板を取付ける取付構造に関する。
【背景技術】
【０００２】
従来、ワイヤにより形成されたバスケットにおける内部の物品載置面に、仕切板（仕切具）を取付けた構造のものとしては、例えば特許文献１に記載されているものがある。
【特許文献１】特開２００３−１２６００６号公報
【発明の開示】
【発明が解決しようとする課題】
【０００３】
上記特許文献１に記載されている仕切板の取付構造では、仕切板は、水平をなす支持部の一側端に上向きの仕切部が連設された正面視逆Ｌ字状をなし、かつ支持部の先端に形成された、仕切部方向を向くＵ字状の鉤状係止部を、バスケット内部の物品載置面を構成する互いに平行な前後方向を向くワイヤに係止しているため、仕切部に、係止部のワイヤ係合方向と反対方向の力が加わると、係止部を中心として仕切板が上方に回動して浮き上がったり、係止部がワイヤより外れて仕切板としての機能を果たさなくなったりする。
【０００４】
また、係止部は、１本のワイヤのみにしか係止されていないため、バスケットの内部を、その前後寸法より小さい幅の仕切板で仕切ると、係止部がワイヤに沿って前後方向に位置ずれする恐れもある。
【０００５】
本発明は、上記問題点に鑑みてなされたもので、仕切板を、その長さに関係なく安定的に取付けうるようにした、ワイヤ状物品載置面への仕切板の取付構造を提供することを目的としている。
【課題を解決するための手段】
【０００６】
本発明によると、上記課題は、次のようにして解決される。
(１)  互いに平行をなす多数のワイヤにより形成された物品載置面を仕切る仕切板の取付構造であって、前記仕切板を、前記ワイヤと直交する方向を向く垂直平板状の仕切板本体と、この仕切板本体の下端の少なくとも両側端部に、該仕切板本体と直交する方向を向いて連設された断面コ字状の１対の係止片とからなるものとし、前記両係止片を、前記多数のワイヤのうちのいずれか２本に側方より嵌合して係止することにより、仕切板を物品載置面上に立設する。
【０００７】
(２)  上記(１)項において、係止片におけるコ状凹部の開口部の上下寸法を、開口部の奥部の上下寸法及びワイヤの外径よりも若干小とする。
【０００８】
(３)  上記(１)または(２)項において、仕切板を合成樹脂よりなるものとし、かつその係止片の少なくとも下片が下方に弾性変形しうるようにする。
【発明の効果】
【０００９】
請求項１記載の発明によれば、仕切板の１対の係止片は、断面コ字状をなして仕切板本体と直交する方向に延出し、２本のワイヤを上下より挟み込むようにして係止されているため、仕切板本体にそれと直交する方向の力が加わっても、係止片がワイヤより外れたり、ぐら付いたりすることはなく、仕切板を、その長さに関係なく安定して取付けることができる。
また、断面コ字状をなす係止片を単にワイヤに側方より嵌合するだけで、仕切板を簡単に取付けうるとともに、係止片をワイヤの長さ方向に強く押動して摺動させれば、仕切板を取付けたままその位置を変更することができる。
【００１０】
請求項２記載の発明によれば、係止片を強く押圧してワイヤに嵌合することにより、仕切板に、係止片の嵌合方向と反対方向の力が加わったとしても、係止片が簡単にワイヤより離脱して外れることはない。
【００１１】
請求項３記載の発明によれば、仕切板本体に係止片を容易に一体成形しうるとともに、係止片をワイヤに弾性的に係止しうるので、仕切板をより安定して取付けることができる。
【発明を実施するための最良の形態】
【００１２】
以下、本発明の実施形態を、図面に基づいて説明する。
図１は、本発明を適用した上下２段のワイヤ棚(１)が取付けられた物品陳列什器の側面図、図２は、ワイヤ棚(１)の一部を示す拡大平面図である。
【００１３】
各ワイヤ棚(１)は、左右１対のベース脚(２)の後端に立設され、上下の対向面同士が横杆(３)により連結された左右１対の支柱(４)の前面に、前向Ｌ字状をなすブラケット(５)を介して取付けられている。
【００１４】
ワイヤ棚(１)は、左右方向に互いに平行をなして所定間隔おきに並ぶとともに、前後両端に、上方に向かって漸次拡開する起立部(6a)(6a)を有する多数の前後方向を向く縦ワイヤ(６)と、左右方向を向くとともに、各縦ワイヤ(６)の下面と、前後の起立部(6a)の外面に結合された複数の横ワイヤ(７)とからなり、前後の起立部(6a)(6a)間における各縦ワイヤ(６)の水平をなす上面が物品載置面となっている。
【００１５】
(８)は、上記物品載置面を前後方向に仕切る仕切板で、次のような構造となっている。
【００１６】
図３〜図５にも示すように、仕切板(８)は、正面視ほぼ方形をなす垂直平板状の合成樹脂製の仕切板本体(９)と、その下端の左右両端部に一体的に形成された１対の係止片(10)(10)とよりなっている。
【００１７】
両係止片(10)は、仕切板本体(９)と直交する前後方向に向かって所要寸法延出し、かつ正面形は、縦ワイヤ(６)の長さ方向である前後方向と右側方に開口する外向きコ字状断面を呈している。
【００１８】
係止片(10)の上片(10e)の下面は、仕切板本体(９)の下端と同一面に整合させてあり、かつコ字状をなす凹部の内部空間の上下寸法は、上記縦ワイヤ(６)にがたなく嵌合しうるように、その外径とほぼ等しくしてある。
【００１９】
係止片(10)の下片(10b)の開口部の内面には、若干上向きに膨出する突部(10c)が形成され、この突部(10c)と上片(10a)とが対向する凹部内の開口部の上下寸法を、縦ワイヤ(６)の外径よりも僅かに小としてある。
【００２０】
仕切板(８)をワイヤ棚(１)の水平をなす物品載置面に取付けるには、まず図３に示すように、仕切板(８)の左右の係止片(10)を、左右方向に並ぶ任意の２本の縦ワイヤ(６)のやや側方において、縦ワイヤ(６)と平行をなすように位置させて、仕切板本体(９)を縦ワイヤ(６)の上面に載せる。
【００２１】
ついで、仕切板(８)全体を、係止片(10)の開口部側に向かって右側方に押動する。すると、下片(10b)が僅かに下方に弾性変形して、突部(10c)が形成された開口部が拡開させられることにより、図４に示すように、左右の係止片(10)は、２本の縦ワイヤ(６)に嵌合されて係止される。
【００２２】
この係止状態において、縦ワイヤ(６)は下片(10b)の突部(10c)よりも奥部のコ字状空間内に位置しているので、仕切板(８)に左側方への力が加わったとしても、係止片(10)が簡単に縦ワイヤ(６)より離脱することはない。
【００２３】
また、係止片(10)は、コ字状断面をなして仕切板本体(９)と直交する方向に延出し、２本の縦ワイヤ(６)の一部を上下より挟み込むようにして係止されているため、仕切板本体(９)がそれと直交する板厚方向に押動されても、係止片(10)が縦ワイヤ(６)より外れたり、ぐら付いたりすることはなく、仕切板(８)は安定して取付けることができる。
【００２４】
さらに、両係止片(10)を前後方向に強く押すと、縦ワイヤ(６)に沿って摺動するので、仕切板(８)を取付けた状態でその前後位置を容易に変更することができる。
【００２５】
上記実施形態では、ワイヤ棚(１)の物品載置面を前後に仕切る仕切板(８)の取付例について説明したが、図１及び図２に示すように、物品載置面を左右方向に仕切る仕切板(11)も、上記と同じ要領で取付けることができる。
【００２６】
この際には、仕切板(11)における仕切板本体(12)の前後寸法を大とし、その前後の下端に、上記仕切板(８)の係止片(10)と同様の形状で、かつ向きを９０°異ならせた１対の係止片(13)(13)を、左右方向に向かって延出するように一体形成し、両係止片(13)を、前方又は後方より前後１対の横ワイヤ(７)(７)に嵌合して係止すればよい。
このような左右方向に仕切る仕切板(11)でも、上記の仕切板(８)と同様に安定して取付けることができる。
【００２７】
本発明は、上記実施形態に限定されるものではない。
仕切板(８)の左右寸法が長いときには、係止片(10)を２個以上設けて、２本以上の縦ワイヤ(６)に係止しうるようにしてもよい。
また、物品載置面に横ワイヤ(７)が２本以上有する際には、左右方向に仕切る仕切板(11)にも、係止片(13)を２個以上設けてもよい。
【図面の簡単な説明】
【００２８】
【図１】本発明を適用したワイヤ棚を備える物品陳列什器の側面図である。
【図２】同じく、ワイヤ棚の右側部の拡大平面図である。
【図３】同じく、仕切板と、それが取付けられる縦ワイヤとの斜視図である。
【図４】図２のIＶ−IＶ線拡大縦断正面図である。
【図５】図４のＶ−Ｖ線縦断正面図である。
【符号の説明】
【００２９】
(１)ワイヤ棚
(２)ベース脚
(３)横杆
(４)支柱
(５)ブラケット
(６)縦ワイヤ
(6a)起立部
(７)横ワイヤ
(８)仕切板
(９)仕切板本体
(10)係止片
(10a)上片
(10b)下片
(10c)突部
(11)仕切板
(12)仕切板本体
(13)係止片
【図１】
2006136539.tif 000003
【図２】
2006136539.tif 000004
【図３】
2006136539.tif 000005
【図４】
2006136539.tif 000006
【図５】
2006136539.tif 000007